(57)【要約】【課題】テレビジョン受像機と録画装置とが接続された録画システムにおいて、テレビジョン受像機を利用中のユーザが、録画装置によって検出された録画候補の番組（録画の予約漏れと考えられる番組）について、その情報の確認と録画指示とを確実かつ容易に行うことができること。【解決手段】テレビジョン受像機Ｘが、番組予約情報において録画予約されていない録画候補の番組を検索する処理を実行することを、ＣＥＣライン４２を通じて録画装置Ｙに要求し、その録画候補の番組の情報を含む録画候補情報を、ＣＥＣライン４２を通じて録画装置Ｙから受信し、受信された録画候補情報を映像表示部５にＯＳＤ表示させ、その表示状態で、リモコン８を通じた操作入力に従って録画候補の番組を録画するか否かを選択し、録画するよう選択された番組を録画することを、ＣＥＣライン４２を通じて録画装置Ｙに指示する。【選択図】図１
2008072222.tif 000002
【特許請求の範囲】
【請求項１】
映像表示部を備え、ＣＥＣ規格に準拠したＣＥＣ信号伝送ラインを含みＨＤＭＩ規格に準拠した信号伝送手段によって放送番組の予約録画を行う機能を備えた録画装置と通信可能に構成されたテレビジョン受像機であって、
録画予約されていない録画候補の番組を検索する処理を実行することを、前記ＣＥＣ信号伝送ラインを通じて前記録画装置に要求する録画候補検索処理要求手段と、
前記録画候補の番組の情報を含む録画候補情報を、前記ＣＥＣ信号伝送ラインを通じて前記録画装置から受信する録画候補情報受信手段と、
前記録画候補情報受信手段により受信された前記録画候補情報を、前記映像表示部に表示させる録画候補情報表示制御手段と、
前記録画候補情報が前記映像表示部に表示された状態で、所定の操作部を通じた操作入力に従って前記録画候補の番組を録画するか否かを選択する録画選択手段と、
前記録画選択手段により録画するよう選択された前記録画候補の番組を録画することを、前記ＣＥＣ信号伝送ラインを通じて前記録画装置に指示する録画指示手段と、
を具備してなることを特徴とするテレビジョン受像機。
【請求項２】
前記録画候補検索処理要求手段が、当該テレビジョン受像機の起動時と、起動後の周期的なタイミングとの一方又は両方において前記録画装置に対する要求を行うものである請求項１に記載のテレビジョン受像機。
【請求項３】
前記録画候補情報表示制御手段が、前記映像表示部に既に表示中の映像とともに前記録画候補情報をＯＳＤ表示又はマルチ画面表示させてなる請求項１又は２のいずれかに記載のテレビジョン受像機。
【請求項４】
前記録画候補情報が１又は複数の所定の区分情報とこれに対応付けられた前記録画候補の番組の情報とを含み、
前記録画候補情報表示制御手段が、前記録画候補の番組の情報を前記区分情報と対応付けて前記映像表示部に表示させてなる請求項１〜３のいずれかに記載のテレビジョン受像機。
【請求項５】
前記録画候補情報表示制御手段が、前記録画候補情報をその送信元の前記録画装置の識別情報と対応付けて前記映像表示部に表示させてなる請求項１〜４のいずれかに記載のテレビジョン受像機。
【請求項６】
電子番組ガイド情報及び番組予約情報に基づいて放送番組の予約録画を行う予約録画機能を備え、ＣＥＣ規格に準拠したＣＥＣ信号伝送ラインを含みＨＤＭＩ規格に準拠した信号伝送手段により、映像表示部を備えたテレビジョン受像機と通信可能に構成された録画装置であって、
前記ＣＥＣ信号伝送ラインを通じた前記テレビジョン受像機からの要求に応じて、予め定められた検索条件に従って前記電子番組ガイド情報を検索することにより前記番組予約情報において録画予約されていない録画候補の番組を特定する録画候補検索手段と、
前記録画候補検索手段により特定された前記録画候補の番組の情報を含む録画候補情報を、前記ＣＥＣ信号伝送ラインを通じて前記テレビジョン受像機に送信する録画候補情報送信手段と、
前記ＣＥＣ信号伝送ラインを通じた前記テレビジョン受像機からの指示に応じて、前記テレビジョン受像機において録画するよう選択された前記録画候補の番組について録画又は前記予約録画を行う録画補足手段と、
を具備してなることを特徴とする録画装置。
【請求項７】
前記録画候補検索手段が、予め設定された複数の区分ごとに異なる前記検索条件に従って前記電子番組ガイド情報の検索を行い、
前記録画候補情報送信手段が、前記区分ごとに該区分の識別情報と前記録画候補の番組の情報とが対応付けられた前記録画候補情報を前記テレビジョン受像機に送信してなる請求項６に記載の録画装置。
【請求項８】
前記録画候補情報送信手段が、当該録画装置の識別情報と前記録画候補の番組の情報とが対応付けられた前記録画候補情報を前記テレビジョン受像機に送信してなる請求項６又は７のいずれかに記載の録画装置。
【請求項９】
映像表示部を備えるテレビジョン受像機と、電子番組ガイド情報及び番組予約情報に基づいて放送番組の予約録画を行う予約録画機能を備えた１又は複数の録画装置とが、ＣＥＣ規格に準拠したＣＥＣ信号伝送ラインを含みＨＤＭＩ規格に準拠した信号伝送手段によって通信可能に構成された録画システムであって、
前記テレビジョン受像機が、
前記番組予約情報において録画予約されていない録画候補の番組を検索する処理を実行することを、前記ＣＥＣ信号伝送ラインを通じて前記録画装置に要求する録画候補検索処理要求手段と、
前記録画候補の番組の情報を含む録画候補情報を、前記ＣＥＣ信号伝送ラインを通じて前記録画装置から受信する録画候補情報受信手段と、
前記録画候補情報受信手段により受信された前記録画候補情報を、前記映像表示部に表示させる録画候補情報表示制御手段と、
前記録画候補情報が前記映像表示部に表示された状態で、所定の操作部を通じた操作入力に従って前記録画候補の番組を録画するか否かを選択する録画選択手段と、
前記録画選択手段により録画するよう選択された前記録画候補の番組を録画することを、前記ＣＥＣ信号伝送ラインを通じて前記録画装置に指示する録画指示手段と、を具備し
前記録画装置が、
前記ＣＥＣ信号伝送ラインを通じた前記テレビジョン受像機からの要求に応じて、予め定められた検索条件に従って前記電子番組ガイド情報を検索することにより前記録画候補の番組を特定する録画候補検索手段と、
前記録画候補検索手段により特定された前記録画候補の番組の情報を含む録画候補情報を、前記ＣＥＣ信号伝送ラインを通じて前記テレビジョン受像機に送信する録画候補情報送信手段と、
前記ＣＥＣ信号伝送ラインを通じた前記テレビジョン受像機からの指示に応じて、前記テレビジョン受像機の前記録画選択手段により録画するよう選択された前記録画候補の番組について録画又は前記予約録画を行う録画補足手段と、を具備してなることを特徴とする録画システム。
【発明の詳細な説明】
【技術分野】
【０００１】
本発明は、ＨＤＭＩ（High Definition Multimedia Interface）規格に準拠した信号伝送手段を通じて、テレビジョン受像機と録画装置とが通信可能に構成された録画システム、及びそれを構成するテレビジョン受像機並びに録画装置に関するものである。
【背景技術】
【０００２】
一般に、昨今の録画装置は、テレビジョン放送やインターネットを通じて取得される電子番組ガイド（ＥＰＧ）情報と、ユーザによる操作に従って設定される番組予約情報とに基づいて、放送番組の予約録画を行う予約録画機能を備えている。
また、予約録画機能を備えた録画装置の中には、ＥＰＧ情報の中から所定のキーワードに関連付けられた番組を自動的に検索し、その検索により得られた番組を録画或いは予約録画する機能（以下、自動検索録画機能という）を備えるものもある。ここで、前記キーワードは、リモコンなどの操作入力手段を通じてユーザにより入力される場合や、ＥＰＧ情報から録画実績のある番組に関連する情報（ジャンルや出演者などのキーワード）が録画装置により自動抽出される場合がある。
例えば、特許文献１には、予め記憶されたユーザの趣向データをキーワードとしてＥＰＧ情報から未予約番組を検索し、その未予約番組（即ち、録画装置が録画の予約漏れと判別した番組）の情報を電話回線などを通じてユーザに音声通知し、ユーザからの音声指示に従って未予約番組の録画を行う録画装置が示されている。これにより、録画装置が、番組録画の漏れを防止できる。
また、録画装置は、映像表示部（液晶表示部など）を備えたテレビジョン受像機と信号伝送用ケーブルにより接続され、テレビジョン受像機の映像表示部に、ＥＰＧ情報や番組予約情報の入力インターフェース映像（画面）を表示させるものが多い。これにより、テレビジョン受像機の映像表示部は、録画済み番組の映像の出力先として機能するのに加え、録画装置のマンマシンインターフェースとしても機能する。
【０００３】
一方、特許文献２に示されるように、テレビジョン受像機と録画装置やセットトップボックス（ＳＴＢ）との間で信号伝送を行う手段の１つとして、ＨＤＭＩ規格に準拠した信号伝送手段（以下、ＨＤＭＩインターフェースという）がある。このＨＤＭＩインターフェースは、外観上１本にまとめられたケーブルによってデジタルの映像信号及び音声信号を同時に伝送でき、シンプルな配線と劣化のない信号伝送とを実現できる。ここで、ＨＤＭＩインターフェースは、符号化されていない（非圧縮の）映像信号及び音声信号を伝送（ベースバンド方式で伝送）するため、機器間における信号の符号化方式の違いに影響されず、拡張性及び永続性（将来、新たな符号化方式を採用する機器とも接続できる可能性）に優れている。
また、ＨＤＭＩ規格は、さらにその中でＣＥＣ（Consumer Electronics Control）規格が規定されており、ＨＤＭＩインターフェースは、そのＣＥＣ規格に準拠した信号伝送ライン（以下、ＣＥＣラインという）を内包した信号伝送手段として構成される。このＣＥＣラインを内包するＨＤＭＩインターフェースは、映像信号及び音声信号の伝送に加え、ＣＥＣラインを通じてその他の情報（制御情報など）を伝送することが可能である。なお、ＨＤＭＩインターフェースは、映像信号及び音声信号については一方向にのみ伝送可能であるが、ＣＥＣラインを通じた情報伝送は双方向で可能である。
【特許文献１】特開２００１−２７５０６７号公報
【特許文献２】特開２００４−２０８２９０号公報
【発明の開示】
【発明が解決しようとする課題】
【０００４】
ところで、テレビジョン受像機や録画装置が存在する場合に、テレビジョン受像機の映像表示部及び操作部（リモコンなど）をマンマシンインターフェースとすることにより、録画装置に関する情報の確認や動作指示を行うことができれば、ユーザにとって非常に便利である。
これに対し、特許文献１に示される録画装置は、録画候補の番組（録画装置が録画の予約漏れと判別した番組）の情報をユーザに音声通知し、ユーザが音声により録画指示を行うものである。このため、ユーザは、テレビジョン受像機の利用中に、わざわざ音声によって録画指示を行うことが煩わしいと感じるという問題点があった。
ここで、テレビジョン受像機が、録画装置の出力映像を映像表示部に表示させるシステムにおいて、録画装置が、録画候補の番組の情報を、テレビジョン受像機に対する出力映像に含めることも考えられる。しかしながら、そのようなシステムは、テレビジョン受像機が、録画装置の出力映像以外の映像（放送中の番組の映像など）を映像表示部に表示させている場合には、ユーザが表示映像の切り替え操作を行わない限り、結局は録画予約が漏れている番組の情報がユーザに伝わらないという問題点を有する。
従って、本発明は上記事情に鑑みてなされたものであり、その目的とするところは、テレビジョン受像機と録画装置とが接続された録画システムにおいて、テレビジョン受像機を利用中のユーザが、録画装置によって検出された録画候補の番組（録画の予約漏れと考えられる番組）について、その情報の確認と録画指示とを確実かつ容易に行うことができる録画システム及びそれを構成するテレビジョン受像機や録画装置を提供することにある。
【課題を解決するための手段】
【０００５】
上記目的を達成するために本発明は、映像表示部を備え、ＣＥＣ規格に準拠したＣＥＣ信号伝送ライン（前記ＣＥＣラインに相当）を含みＨＤＭＩ規格に準拠した信号伝送手段（前記ＨＤＭＩインターフェースに相当）によって放送番組の予約録画を行う機能を備えた録画装置と通信可能に構成され、以下の（１−１）〜（１−５）に示す各構成要素を備えたテレビジョン受像機として構成されるものである。
（１−１）録画予約されていない録画候補の番組を検索する処理を実行することを、前記ＣＥＣ信号伝送ラインを通じて前記録画装置に要求する録画候補検索処理要求手段。
（１−２）前記録画候補の番組の情報を含む録画候補情報を、前記ＣＥＣ信号伝送ラインを通じて前記録画装置から受信する録画候補情報受信手段。
（１−３）前記録画候補情報受信手段により受信された前記録画候補情報を、前記映像表示部に表示させる録画候補情報表示制御手段。
（１−４）前記録画候補情報が前記映像表示部に表示された状態で、所定の操作部を通じた操作入力に従って前記録画候補の番組を録画するか否かを選択する録画選択手段。
（１−５）前記録画選択手段により録画するよう選択された前記録画候補の番組を録画することを、前記ＣＥＣ信号伝送ラインを通じて前記録画装置に指示する録画指示手段。
ここで、前記録画候補検索処理要求手段は、例えば、当該テレビジョン受像機の起動時や、起動後の周期的なタイミングにおいて、前記録画装置に対する要求を行うものである。
【０００６】
以上に示す構成を備えたテレビジョン受像機は、前記ＣＥＣ信号伝送ラインを通じて、録画装置に対して録画候補の番組（録画の予約漏れと考えられる番組）の検索処理を実行するよう要求し、これに応じて返信されてくる録画候補の番組の情報を映像表示部に表示させた上で、録画すべき番組の選択処理（ユーザによる操作入力に従った選択）を実行する。即ち、当該テレビジョン受像機を利用中のユーザは、その映像表示部及び操作部をマンマシンインターフェースとして、録画装置によって検出された録画候補の番組について、その情報の確認と録画指示とを容易に行うことができる。
しかも、テレビジョン受像機は、映像表示部への映像の表示状態にかかわらず、前記ＣＥＣ信号伝送ラインを通じた情報伝送を行うことができる。このため、録画候補の番組（録画予約が漏れている番組）の情報は、当該テレビジョン受像機を利用中のユーザに対して確実に通知される。
また、前記録画候補情報表示制御手段は、例えば、前記映像表示部に既に表示中の映像とともに前記録画候補情報をＯＳＤ表示又はマルチ画面表示させるものであることが望ましい。
これにより、ユーザによる当該テレビジョン受像機の利用状態（視聴状態）が極力維持される。
【０００７】
また、前記録画候補情報が１又は複数の所定の区分情報とこれに対応付けられた前記録画候補の番組の情報とを含み、前記録画候補情報表示制御手段が、前記録画候補の番組の情報を前記区分情報と対応付けて前記映像表示部に表示させることが考えられる。
録画装置は、家族で共有されることが多いが、家族の構成員ごとに、前記録画候補の番組を検索する条件が異なり得る。このため、録画装置が、予め設定された複数の区分ごと（例えば、家族の構成員ごと）に異なる検索条件に従って前記電子番組ガイド情報の検索を行うことが望ましい。そして、前記区分情報として家族の構成員の名前等を採用し、テレビジョン受像機が、その区分情報を前記録画候補の番組の情報と対応付けて映像表示部に表示させれば、ユーザは、いずれの区分の情報であるか（例えば、自分向けの情報であるか否か）を直ちに判断でき、前記録画選択手段による選択のための操作がさらに容易となる。
また、家族の構成員ごとや、ユーザの趣向（ジャンルや出演者など）ごとに複数の録画装置が存在する場合も考えられる。
この場合、前記録画候補情報表示制御手段が、前記録画候補情報をその送信元の前記録画装置の識別情報と対応付けて前記映像表示部に表示させることが望ましい。これにより、ユーザは、いずれの録画装置に対応した情報であるか否かを直ちに判断でき、前記録画選択手段による選択のための操作がさらに容易となる。
【０００８】
また、本発明は、電子番組ガイド情報及び番組予約情報に基づいて放送番組の予約録画を行う予約録画機能を備え、前記ＨＤＭＩ規格に準拠した信号伝送手段により、以上に示したテレビジョン受像機と通信可能に構成された録画装置として捉えることもできる。即ち、本発明に係る録画装置は、次の（２−１）〜（２−３）に示す各構成要素を備えるものである。
（２−１）前記ＣＥＣ信号伝送ラインを通じた前記テレビジョン受像機からの要求に応じて、予め定められた検索条件に従って前記電子番組ガイド情報を検索することにより、前記番組予約情報において録画予約されていない録画候補の番組を特定する録画候補検索手段。
（２−２）前記録画候補検索手段により特定された前記録画候補の番組の情報を含む録画候補情報を、前記ＣＥＣ信号伝送ラインを通じて前記テレビジョン受像機に送信する録画候補情報送信手段。
（２−３）前記ＣＥＣ信号伝送ラインを通じた前記テレビジョン受像機からの指示に応じて、前記テレビジョン受像機において録画するよう選択された前記録画候補の番組について録画又は前記予約録画を行う録画補足手段。
ここで、前記録画候補検索手段が、予め設定された複数の区分ごとに異なる前記検索条件に従って前記電子番組ガイド情報の検索を行うことが考えられる。この場合、前記録画候補情報送信手段が、前記区分ごとにその区分の識別情報と前記録画候補の番組の情報とが対応付けられた前記録画候補情報を前記テレビジョン受像機に送信する。
また、前記録画候補情報送信手段が、当該録画装置の識別情報と前記録画候補の番組の情報とが対応付けられた前記録画候補情報を前記テレビジョン受像機に送信することも考えられる。
これらの効果は前述した通りである。
また、本発明は、以上に示したテレビジョン受像機と録画装置とが、前記ＨＤＭＩ規格に準拠した信号伝送手段によって通信可能に構成された録画システムとして捉えることもできる。
【発明の効果】
【０００９】
本発明に係るテレビジョン受像機は、これを利用中のユーザが、当該テレビジョン受像機の映像表示部及び操作部をマンマシンインターフェースとして、録画装置によって検出された録画候補の番組（録画予約が漏れている番組）について、その情報の確認と録画指示とを容易に行うことができる。即ち、ユーザが、能動的に録画装置を操作してその状態を確認する必要がない。
さらに、本発明によれば、録画候補の番組の情報（録画候補情報）は、映像表示部への映像の表示状態にかかわらず、当該テレビジョン受像機を利用中のユーザに対して確実に通知される。
また、前記録画候補情報が、前記映像表示部に既に表示中の映像とともにＯＳＤ表示又はマルチ画面表示されることにより、ユーザによる当該テレビジョン受像機の利用状態（視聴状態）が極力維持され、ユーザに不快感（違和感）を与えることを回避できる。
また、録画装置が、予め設定された複数の区分ごと（例えば、家族の構成員ごと）に異なる検索条件に従って前記電子番組ガイド情報の検索を行い、テレビジョン受像機が、その区分を明示して録画候補の番組の情報を表示させれば、ユーザは、いずれの区分の情報であるか（例えば、自分向けの情報であるか否か）を直ちに判断でき、録画対象の選択のための操作がさらに容易となる。
【発明を実施するための最良の形態】
【００１０】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る録画システムＺの概略構成を表すブロック図、図２は録画システムＺにおける録画補足処理の手順を表すフローチャート、図３は本発明の実施形態にかかるテレビジョン受像機Ｘにおける録画候補番組選択メニューのＯＳＤ表示画面の一例を表す図、図４は録画システムＺにおける録画候補情報のデータ構成を表す図である。
【００１１】
まず、図１に示すブロック図を用いて、本発明の実施形態に係る録画システムＺの構成について説明する。
録画システムＺは、映像表示部５を備えるテレビジョン受像機Ｘと予約録画機能を備える複数（図１では２台）の録画装置Ｙとが、ＨＤＭＩ規格に準拠した信号伝送手段であるＨＤＭＩインターフェースＷによって通信可能に構成されたシステムである。ここで、ＨＤＭＩインターフェースＷは、映像信号及び音声信号（いずれもデジタル信号）を伝送するＴＭＤＳ（Transition Minimized Differential Signaling）ライン４１と、ＨＤＭＩ規格のオプション規格であるＣＥＣ規格に準拠したＣＥＣライン４２（ＣＥＣ信号伝送ラインに相当）を含んでいる。なお、ＴＭＤＳライン４１は、複数本の信号ラインにより構成され、ＴＭＤＳライン４１及びＣＥＣライン４２は、見かけ上１本のＨＤＭＩケーブル４０として構成されている。
録画システムＺの特徴は、テレビジョン受像機Ｘが、未予約の録画候補の番組（録画の予約漏れと考えられる番組）に関する録画候補情報を映像表示部５に表示させ、さらに、テレビジョン受像機Ｘに対する操作により、その情報の確認と録画指示とを可能にする録画補足処理を実行することである。その詳細については後述する。
【００１２】
［テレビジョン受像機Ｘ］
本発明の実施形態に係るテレビジョン受像機Ｘは、図１に示すように、チューナ１、２つのＨＤＭＩ受信部２ｘａ、２ｙａ、ＣＥＣインターフェース２ｘｂ、映像切替回路３、映像処理回路４、映像表示部５、制御回路６、リモコンインターフェース（Ｉ／Ｆ）回路７、リモコン８、サブＭＰＵ９、音声切替回路１０、音声処理回路１１、アンプ１２及びスピーカ１３等を具備して構成されている。
【００１３】
チューナ１は、地上波放送信号やＢＳ衛星放送信号等の放送信号から、前記制御回路６により指示される放送チャンネルの信号を抽出（選局）するとともに、その抽出信号の検波によって映像信号及び音声信号を取り出し、その映像信号及び音声信号の各々を映像切替回路３及び音声切替回路１０各々へ伝送するものである。
また、ＨＤＭＩ受信部２ｘａ、２ｙａ（図中、ＨＤＭＩ−ＲＸと表記）は、ＨＤＭＩ規格に準拠した信号伝送インターフェースである。このＨＤＭＩ受信部２ｘａ、２ｙａは、ＴＭＤＳライン４１を通じて、外部装置（ここでは、録画装置Ｙ）からベースバンド方式で映像信号及び音声信号を入力し、それらを映像切替回路３及び音声切替回路１０各々へ伝送する。
ＣＥＣインターフェース２ｘｂは、ＨＤＭＩ規格におけるＣＥＣ規格に準拠した信号伝送インターフェースである。このＣＥＣインターフェース２ｘｂは、ＣＥＣライン４２を通じて、外部装置（ここでは、録画装置Ｙ）との間で情報の送受信を行う。ＣＥＣインターフェース２ｘｂの受信情報の直接の伝送先及び送信情報の直接の供給元は、サブＭＰＵ９である。
図１に示す例では、テレビジョン受像機Ｘは、２台の録画装置Ｚ（外部装置）それぞれに対応する２つのＨＤＭＩ受信部２ｘａ、２ｙａを備えている。また、ＣＥＣインターフェース２ｘｂは、２台の録画装置Ｚに対して１つだけ設けられている。
映像切替回路３は、チューナ１及びＨＤＭＩ受信部２ｘａ、２ｙａからの映像信号を入力し、それらの映像信号のうちの任意の１つの映像信号を制御回路６からの指示に従って選択して出力するものである。
映像処理回路４は、映像切替回路３から出力された映像信号に対して各種信号処理を行うものである。例えば、映像処理回路４は、映像切替回路３からの映像信号に、制御回路６から指定された情報の映像をスーパーインポーズする（重ね合わせる）ＯＳＤ機能を備えている。
映像表示部５は、液晶パネル及び液晶ドライバを備えた液晶表示部などにより構成され、映像処理回路４から出力される映像信号に基づく映像を表示するものである。
【００１４】
音声切替回路１０は、チューナ１からの音声信号及びＨＤＭＩ受信部２ｘａ、２ｙａからの音声信号が入力され、それらの音声信号のうちの任意の１つの音声信号を、制御回路６からの指示に従って音声処理回路１１に出力するものである。
音声処理回路１１は、音声切替回路１０から出力された信号に対し、イコライズ処理やＤ／Ａ変換処理等を行うものである。
アンプ１２は、音声処理回路１１による処理後の音声信号を、制御回路６からの指示に従って増幅或いは減衰させる処理（ボリューム調節処理）を行い、スピーカ１３に出力するものである。
【００１５】
制御回路６は、演算手段であるＭＰＵ６ａ、そのＭＰＵ６ａによって実行される制御プログラムが予め格納される記憶手段であるＲＯＭ６ｂ（ＥＰＲＯＭ）、ＭＰＵ６ａが実行する処理において読み書きされる各種情報を記憶するＥＥＰＲＯＭ６ｃ等を備え、当該テレビジョン受像機Ｘ全体を制御するものである。以下に示す制御回路６の処理や機能は、ＭＰＵ６ａがＲＯＭ６ｂに記憶されたプログラムを実行することによって実現される。
リモコン８は、当該テレビジョン受像機Ｘの動作の制御用の無線信号（例えば、赤外線信号）を出力するリモート操作器であり、不図示の操作入力部や無線信号出力回路等を備えている。
前記操作入力部は、チャンネル選択キーや音量調節キーなど、情報入力のための操作部であり、その操作内容に応じた信号が前記無線信号出力回路に伝送される。また、前記無線信号出力回路は、前記操作入力部から伝送されてくる信号（即ち、テレビジョン受像機Ｘの動作の制御信号）を、無線信号（例えば、赤外線信号）に変換し、当該リモコン８からテレビ本体側へ無線伝送するものである。
一方、リモコンインターフェース回路７は、リモコン８から伝送される無線信号（赤外線信号等）を受信し、これを電気信号に変換することにより、リモコン８から伝送される各種情報を取得するとともに、その取得情報をサブＭＰＵ９に伝送するものである。
サブＭＰＵ９は、制御回路６と、リモコンインターフェース回路７及びＣＥＣインターフェース２ｘｂとの間で情報伝送を中継する処理を実行するマイクロコンピュータである。
【００１６】
［録画装置Ｙ］
本発明の実施形態に係る録画装置Ｙは、図１に示すように、チューナ２１、録画・再生回路２２、ＨＤＤ２３（ハードディスクドライブ）、ＨＤＭＩ送信部２５ａ、ＣＥＣインターフェース２５ｂ、制御回路２４、リモコンインターフェース回路２６、リモコン２７及びサブＭＰＵ２８等を具備して構成されている。
ここで、チューナ２１、リモコンインターフェース回路２６、リモコン２７、サブＭＰＵ２８は、それぞれテレビジョン受像機Ｘにおけるチューナ１、リモコンインターフェース７、リモコン８及びサブＭＰＵ９と同様のものである。
【００１７】
録画・再生回路２２は、放送番組の録画処理及び録画番組の再生処理を実行するものである。即ち、録画・再生回路２２は、チューナ２１により抽出された番組の放送信号（映像信号及び音声信号）を圧縮符号化してＨＤＤ２３に記録する録画処理を実行する。さらに、録画・再生回路２２は、ＨＤＤ２３に録画（記録）された放送番組のデータを復号化しながらＨＤＭＩ送信部２５ａを通じて外部出力する再生処理を実行する。
さらに、録画・再生回路２２は、チューナ２１により抽出された番組の放送信号から、そこに含まれるＥＰＧ情報（電子番組ガイド情報）を抽出してＨＤＤ２３に記録するＥＰＧ取得機能も備えている。
ＨＤＭＩ送信部２５ａ（図中、ＨＤＭＩ−ＴＸと表記）は、ＨＤＭＩ規格に準拠した信号伝送インターフェースである。このＨＤＭＩ送信部２５ａは、ＴＭＤＳライン４１を通じて、外部装置（ここでは、テレビジョン受像機Ｘ）に対し、ベースバンド方式で映像信号及び音声信号を出力する。
ＣＥＣインターフェース２５ｂは、テレビジョン受像機ＸにおけるＣＥＣインターフェース２ｘｂと同様に、ＨＤＭＩ規格におけるＣＥＣ規格に準拠した信号伝送インターフェースである。このＣＥＣインターフェース２５ｂは、ＣＥＣライン４２を通じて、外部装置（ここでは、テレビジョン受像機Ｘ）との間で情報の送受信を行う。ＣＥＣインターフェース２５ｂの受信情報の直接の伝送先及び送信情報の直接の供給元は、サブＭＰＵ２８である。
【００１８】
また、録画装置Ｙにおいて、ＨＤＭＩインターフェースＷの一部を構成するＨＤＭＩ送信部２５ａ及びＣＥＣインターフェース２５ｂと、サブＭＰＵ２８と、リモコンインターフェース回路２６とは、当該録画装置Ｙが商用電源に接続されている状態では、常時通電された状態となっている。一方、チューナ２１や制御回路２４、録画・再生回路２２及びＨＤＤ２３等は、当該録画装置Ｙが商用電源に接続されている状態において、それらへの通電がなされた稼動状態と、それらへの通電が遮断された待機状態との２状態に切り替えられる。その２状態の切り替えは、サブＭＰＵ２８が不図示の通電スイッチの切り替え制御を行うことにより実現される。
即ち、サブＭＰＵ２８は、当該録画装置Ｙが前記待機状態である場合に、リモコン２７からリモコンインターフェース回路２６を通じて電源キーの操作信号が受信されたこと、或いはテレビジョン受像機ＸからＣＥＣインターフェース２５ｂを通じて自装置宛の何らかのコマンドが受信されたことを検知すると、前記通電スイッチをＯＦＦ状態からＯＮ状態へ切り替えることにより、当該録画装置Ｙを前記待機状態から前記稼動状態へ切り替える（即ち、起動する）。
また、サブＭＰＵ２８は、当該録画装置Ｙが前記稼動状態である場合に、リモコン２７からリモコンインターフェース回路２６を通じて電源キーの操作信号が受信されたこと、或いはテレビジョン受像機ＸからＣＥＣインターフェース２５ｂを通じて停止コマンドが受信されたことを検知すると、前記通電スイッチをＯＮ状態からＯＦＦ状態へ切り替えることにより、当該録画装置Ｙを前記稼動状態から前記待機状態へ切り替える。
これにより、録画装置Ｙは、リモコン２７やテレビジョン受像機Ｘからのリモート制御によって、前記稼動状態と前記待機状態との切り替えが行われる。
【００１９】
制御回路２４は、演算手段であるＭＰＵ２４ａ、そのＭＰＵ２４ａによって実行される制御プログラムが予め格納される記憶手段であるＲＯＭ２４ｂ（ＥＰＲＯＭ）、ＭＰＵ２４ａが実行する処理において読み書きされる各種情報を記憶するＥＥＰＲＯＭ２４ｃ等を備え、当該録画装置Ｙ全体を制御するものである。以下に示す制御回路２４の処理や機能は、ＭＰＵ２４ａがＲＯＭ２４ｂに記憶されたプログラムを実行することによって実現される。
また、録画装置Ｙの制御回路２４は、録画・再生回路２２によってＨＤＤ２３に記録されたＥＰＧ情報と、同じく予めＨＤＤ２３に記録される番組予約情報とに基づいて、放送番組（映像及び音声）の予約録画を行う予約録画機能を有している。ここで、番組予約情報は、制御回路２４がリモコン２７を通じた操作入力に従って予め設定し、ＨＤＤ２３に記録する情報である。番組予約情報には、録画開始時刻、録画終了時刻、録画する番組の放送チャンネル及びタイトル等が含まれる。なお、予約録画機能は周知の機能であるので、ここでは詳細な説明は省略する。
さらに、制御回路２４は、ＥＰＧ情報から、録画候補の番組を検索する処理（以下、録画候補検索処理という）を実行する録画候補検索機能も有している。ここで、録画候補の番組とは、前記番組予約情報において録画予約の対象に設定されていない（未予約の）番組であって、ＥＰＧ情報において所定のキーワードと関連付けられている番組である。
また、制御回路２４は、ＨＤＤ２３における録画データの記録先（保存先）である１つ又は複数のフォルダ（以下、保存フォルダという）を設定するフォルダ設定機能、及びその保存フォルダ（区分の一例）ごとに、前記録画候補の番組の検索に用いるキーワードを設定してＨＤＤ２３に記憶させるキーワード設定機能も有している。
これにより、制御回路２４は、予め設定された複数のフォルダ（区分）ごとに異なるキーワード（検索条件の一例）に従って、ＥＰＧ情報の検索を行うことにより、前記録画候補の番組を特定する（録画候補検索手段の一例）。
なお、後述するように、録画装置Ｙは、テレビジョン受像機Ｘからの要求（指示）に応じて、前記録画候補の番組の検索処理を実行し、検索結果の情報（後述する録画候補情報）をテレビジョン受像機Ｘに引き渡す。
また、キーワードは、例えば、制御回路２４がリモコン２７を通じた操作入力に従って予め設定し、ＨＤＤ２３に記録する。その他、制御回路２４が、前記保存フォルダごとのキーワードを自動設定することも考えられる。例えば、録画・再生回路２２によって前記保存フォルダに番組が録画された場合に、制御回路２４が、その保存フォルダについて、録画された番組に関するキーワード（ジャンルや出演者など）とそのキーワードに関連付けられた番組の録画回数とをＨＤＤ２３に記録し、録画回数が多いキーワードをその保存フォルダについてのキーワードとする。
【００２０】
次に、図２に示すフローチャートを参照しつつ、録画システムＺにおける前記録画補足処理の手順について説明する。
ここで、図２に示す処理は、ユーザによるリモコン８の電源ＯＮ操作等により、テレビジョン受像機Ｘが起動された場合に開始されるものとする。また、以下に示すＳ１０１、Ｓ１０２、…は、処理手順（ステップ）の識別符号を表す。
前記録画補足処理は、テレビジョン受像機Ｘと録画装置Ｙとが、ＨＤＭＩインターフェースＷを通じて情報の授受を行いつつ実行する処理である。以下、先にテレビジョン受像機Ｘ側の処理について説明し、続けて録画装置Ｙ側の処理について説明する。
【００２１】
まず、録画補足処理におけるテレビジョン受像機Ｘ側の処理について説明する。
［ステップＳ１０１、Ｓ１０２］
テレビジョン受像機Ｘが起動すると、制御回路６は、前記録画候補の番組をする処理を実行することを要求するための検索要求コマンドを、ＣＥＣライン４２を通じて各録画装置Ｙに対して送信する（Ｓ１０１，録画候補検索処理要求手段の一例）。なお、テレビジョン受像機ＸにおけるＣＥＣライン４２を通じた通信制御（情報の送信及び受信の制御）は、ＣＥＣインターフェース２ｘｂにより行われる。
次に、制御回路６は、各録画装置Ｙから、前記録画候補の番組の情報を含む録画候補情報Ｄ０を、前記ＣＥＣライン４２（ＣＥＣ信号伝送ライン）を通じて受信する処理を実行する（Ｓ１０２、録画候補情報受信手段の一例）。このステップＳ１０２において、制御回路６は、前記検索要求コマンドの送信後の所定時間内に、各録画装置Ｙから前記録画候補情報が受信されたか否かを判別する。なお、制御回路６は、ＣＥＣライン４２を通じて、録画装置Ｙから後述する録画候補無し通知を受信した場合には、その録画装置Ｙからは前記録画候補情報Ｄ０は受信されなかったと判別する。
図４は、前記録画候補情報Ｄ０のデータ構成の一例を表すものである。
図４に示す前記録画候補情報Ｄ０は、前記録画候補情報Ｄ０の送信元の録画装置Ｙを識別する情報である装置名ｄ１と、前記保存フォルダの識別情報であるフォルダ名ｄ２（区分情報の一例）と、番組識別コードｄ３と、前記録画候補の番組の検索に用いたキーワードｄ４と、前記録画候補の番組の情報ｄ５（開始時刻やタイトル、放送チャンネルなど）とが対応付けられた情報である。
ここで、前記録画候補の番組の情報ｄ５は、前述した録画装置Ｙの録画候補検索機能により特定（検索）された未予約の前記録画候補の番組に関する情報であり、フォルダ名ｄ２は、その検索に用いられたキーワードが設定された前記保存フォルダの名称である。
【００２２】
［ステップＳ１０３、Ｓ１１２］
そして、制御回路６は、ステップＳ１０２において前記録画候補情報D０が１以上の録画装置Ｙから受信されなかったことを確認すると、処理をステップＳ１１２に移行させる。このステップＳ１１２では、制御回路６は、時間の計時を行いながら、予め定められた設定時間が経過するまで当該録画補足処理の待機状態となり、前記設定時間の経過を検知すると、処理を再びステップＳ１０１へ移行させる。これにより、制御回路１０１は、当該テレビジョン受像機Ｘの起動時と、起動後の周期的なタイミングとにおいて、録画装置Ｙに対する検索要求を行うことになる。なお、起動時又は起動後の周期的なタイミングとのいずれかにおいてのみ、ステップＳ１０１以降の処理を実行することも考えられる。
一方、制御回路６は、ステップＳ１０２において前記録画候補情報D０が１以上の録画装置Ｙから受信されたことを確認すると、その録画候補情報Ｄ０を含む録画候補番組選択メニューの映像（画面）を編成し、そのメニュー映像を映像表示部５にＯＳＤ表示させる（Ｓ１０３、録画候補情報表示制御手段の一例）。
図３は、前記録画候補番組選択メニューｖ１のＯＳＤ表示画面の一例である。
図３に示すように、制御回路６（録画候補情報表示制御手段の一例）は、映像表示部５に、既に表示中の映像ｖ０とともに前記録画候補情報Ｄ０をＯＳＤ表示させる。その他、制御回路６が、既に表示中の映像ｖ０と、前記録画候補番組選択メニューｖ１の映像とをマルチ画面表示させることも考えられる（不図示）。
ここで、前記録画候補番組選択メニューｖ１の映像は、前記録画候補の番組の情報Ｄ５（開始時刻、タイトルなど）と、その検索にもちいらられたキーワードｄ４と、そのキーワードｄ４に対応する前記フォルダ名ｄ２（区分情報の一例）と、その検索を行った録画装置Ｙの前記装置名ｄ１（録画装置Ｙの識別情報）とを対応付けて表示する映像である。
【００２３】
［ステップＳ１０４〜Ｓ１０７］
次に、制御回路６は、映像表示部５に図３に示す前記録画候補番組選択メニューｖ１（録画候補情報Ｄ０を含む）が表示された状態で、リモコン８の操作部を通じた操作入力に従って、前記録画候補の番組を録画するか否かを選択する録画番組選択処理を実行し（Ｓ１０４、録画選択手段の一例）、その選択結果に従って次の処理の移行先を切り替える（Ｓ１０５））。ここで、制御回路６は、サブＭＰＵ９を通じて左右の方向キー（操作部のキー）のいずれが操作されたかを判別し、その判別結果により前記録画候補の番組を録画するか否か（ＹｅｓかＮｏか）を選択する。
そして、制御回路６は、録画しないとの選択を確定した場合、前記録画候補情報Ｄ０の送付元の録画装置Ｙに対し、ＣＥＣライン４２を通じて、選択番組がない旨の通知（選択番組無し通知）を行い（Ｓ１０６）、その後、処理を前述したステップＳ１１２へ移行させる。
一方、制御回路６は、番組を録画するとの選択を確定した場合、前記録画候補情報Ｄ０の送付元の録画装置Ｙに対し、ＣＥＣライン４２を通じて、ステップＳ１０４の処理（録画選択手段の処理の一例）により録画するよう選択された前記録画候補の番組を録画することを指示するための録画指示コマンドを送信する（Ｓ１０７、録画指示手段の一例）。この録画指示コマンドには、番組の識別情報として前記番組識別コードｄ３が含められる。
【００２４】
［ステップＳ１０８］
次に、制御回路６は、前記録画指示コマンドの送信先の録画装置Ｙから、録画設定が完了した旨の通知が所定時間内に受信されたか否かを判別し（Ｓ１０８）、通知が受信された場合には、録画設置完了のメッセージを映像表示部５にＯＳＤ表示させる（Ｓ１０９）。
一方、制御回路６は、録画設定完了の通知が所定時間内に受信されなかった場合には、所定のエラーメッセージを映像表示部５にＯＳＤ表示させる（Ｓ１１０）。
そして、制御回路６は、前記録画設置完了のメッセージ又は前記エラーメッセージのＯＳＤ表示を一致時間後に消去する処理を実行（Ｓ１１１）した後、処理を前述したステップＳ１１２へ移行させる。
以上の処理が、前記録画補足処理におけるテレビジョン受像機Ｘ側の処理である。
【００２５】
次に、録画補足処理における録画装置Ｙ側の処理について説明する。
［ステップＳ２０１、Ｓ２０２］
録画装置Ｙ側では、まず、制御回路２４が、ＣＥＣライン４２を通じてテレビジョン受像機ＸからステップＳ１０１の処理で送信される前記検索要求コマンドを受信する処理を実行する（Ｓ２０１）。なお、当該録画装置Ｙが前記待機状態である場合には、まず、サブＭＰＵ９が、自装置宛のコマンドが受信された時点で、前記通電スイッチを制御することによって前記待機状態から前記稼動状態へ切り替え（即ち、起動し）、これによって起動した制御回路６が、受信されたコマンド内容の判別を行う。
そして、制御回路２４は、前記検索要求コマンドの受信を検知すると（テレビジョン受像機Ｘからの要求に応じて）、前記録画候補検索処理を実行する（Ｓ２０２、録画候補検索手段の一例）。ここで、前述したように、前記録画候補検索処理は、前記保存フォルダ（区分の一例）ごとに予め設定されたキーワードを検索キーとして（検索条件の一例）ＥＰＧ情報を検索することにより、予めユーザにより設定された前記番組予約情報において録画予約されていない前記録画候補の番組を特定する処理である。
例えば、前記保存フォルダとして「野球」というキーワードが設定された「父用」フォルダと、「アニメ」というキーワードが設定された「子供用」フォルダとが存在する場合を考える。
この場合、制御回路２４は、ＥＰＧ情報の中から、未放送番組のうち「野球」というキーワードが関連付けられており、かつ、前期番組予約情報において予約録画されていない番組を検索する。さらに、制御回路２４は、ＥＰＧ情報の中から、未放送番組のうち「アニメ」というキーワードが関連付けられており、かつ、前期番組予約情報において予約録画されていない番組を検索する。
このように、制御回路２４は、予め設定された複数の区分（ここでは、前記保存フォルダ）ごとに異なるキーワード（検索条件）に基づいて、ＥＰＧ情報の検索を行う。
【００２６】
［ステップＳ２０３〜Ｓ２０５］
次に、録画装置Ｙの制御回路２４は、ステップＳ２０２の録画候補検索処理によって１つ以上の前記録画候補の番組が特定されたか否かを判別する（Ｓ２０３）。ここで、制御回路２４は、前記録画候補の番組が１つも特定されなかったと判別した場合には、前記録画候補の番組が存在しない旨を表す通知である前記録画候補無し通知を、ＣＥＣライン４２を通じてテレビジョン受像機Ｘに送信し（Ｓ２０５）、その後、処理を前述したステップＳ２０１へ戻す。その際、サブＭＰＵ９は、テレビジョン受像機Ｘからコマンドを受信する前の状態が前記待機状態であった場合には、前記通電スイッチを制御することにより、当該録画装置Ｙを前記稼動状態から前記待機状態へ切り替える（元の状態へ戻す）。
一方、制御回路２４は、前記録画候補の番組が１つ以上特定されたと判別した場合は、前記録画候補情報Ｄ０（図４参照）を編成し、それをＣＥＣライン４２を通じてテレビジョン受像機Ｘに送信する（Ｓ２０４、録画候補情報送信手段）。例えば、制御回路２４は、ＣＥＣ規格において定められているＯＳＤ表示コマンドとともに、前記録画候補情報Ｄ０を送信する。
なお、図４に示したように、録画候補情報Ｄ０は、装置名ｄ１（録画装置Ｙの識別情報の一例）ごと、及び保存フォルダ名ｄ２（区分の一例）ごとに、番組識別コードｄ３、キーワードｄ４、及びステップＳ２０２の処理により特定された前記録画候補の番組の情報ｄ５（タイトル、開始時刻など）が対応付けられた情報である。ここで、装置名ｄ１及び保存フォルダ名ｄ２は、ユーザがリモコン２７の操作によって設定する情報であり、制御回路２４によって予めＨＤＤ２３或いはＥＥＰＲＯＭ２４ｃに記憶される。また、番組識別コードｄ３は、ＥＰＧ情報において番組それぞれを識別するコードである。
【００２７】
［ステップＳ２０６］
次に、録画装置Ｙの制御回路２４は、テレビジョン受像機Ｘから、前記録画指示コマンド（ステップＳ１０７で送信されるコマンド）を、前記ＣＥＣライン４２（ＣＥＣ信号伝送ライン）を通じて受信する処理を実行する（Ｓ２０６）。このステップＳ２０６において、制御回路２４は、前記録画候補情報Ｄ０の送信後の所定時間内に、テレビジョン受像機Ｘから前記録画指示コマンドが受信されたか否かを判別する。なお、制御回路２４は、ＣＥＣライン４２を通じて、テレビジョン受像機Ｘから前記選択番組無し通知（ステップＳ１０６で送信される通知）を受信した場合には、テレビジョン受像機Ｘから前記録画指示コマンドは受信されなかったと判別する。
ここで、制御回路２４は、前記録画指示コマンドが受信されなかったと判別した場合には、処理を前述したステップＳ２０１へ戻す。その際、サブＭＰＵ２８は、テレビジョン受像機Ｘからコマンドを受信する前の状態が前記待機状態であった場合には、前記通電スイッチを制御することにより、当該録画装置Ｙを前記稼動状態から前記待機状態へ切り替える（元の状態へ戻す）。
【００２８】
［ステップＳ２０７、Ｓ２０８］
一方、録画装置Ｙの制御回路２４は、ＣＥＣライン４２を通じて前記録画指示コマンドが受信されたと判別した場合は（テレビジョン受像機Ｘからの指示に応じて）、テレビジョン受像機Ｘ側のステップＳ１０４の処理において録画するよう選択された前記録画候補の番組について、録画又は予約録画の設定を行う（Ｓ２０７、録画補足手段の一例）。これにより、テレビジョン受像機Ｘにおいて録画するよう選択された前記録画候補の番組が、録画・再生回路２２によってＨＤＤ２３に録画される。なお、制御回路２４は、録画対象とする番組を、前記録画指示コマンドに含まれる前記番組識別コードｄ３により特定する。
さらに、制御回路２４は、録画設定が完了した旨の通知（ステップＳ１０８で受信される通知）を、ＣＥＣライン４２を通じてテレビジョン受像機Ｘに送信し（Ｓ２０８）、その後、処理を前述したステップＳ２０１へ戻す。その際、サブＭＰＵ２８は、テレビジョン受像機Ｘからコマンドを受信する前の状態が前記待機状態であった場合には、前記通電スイッチを制御することにより、当該録画装置Ｙを前記稼動状態から前記待機状態へ切り替える（元の状態へ戻す）。
【００２９】
以上に示したテレビジョン受像機Ｘは、ＣＥＣライン４２を通じて、録画装置Ｙに対して前記録画候補の番組（録画の予約漏れと考えられる番組）の検索処理を実行するよう要求し（Ｓ１０１）、これに応じて返信されてくる前記録画候補情報Ｄ０を映像表示部に表示（Ｓ１０３）させた上で、録画すべき番組の選択処理（ユーザによる操作入力に従った選択）を実行する（Ｓ１０４）。即ち、テレビジョン受像機Ｘを利用中のユーザは、その映像表示部５及びリモコン８（操作部）をマンマシンインターフェースとして、録画装置Ｙによって検出された前記録画候補の番組について、その情報の確認と録画指示とを容易に行うことができる。
しかも、テレビジョン受像機Ｘは、映像表示部５にチューナ１により選局された番組の表示状態であっても、ＣＥＣライン４２を通じて得られる前記録画候補情報を、テレビジョン受像機Ｘを利用中のユーザに対して確実に通知する（Ｓ１０３）。また、テレビジョン受像機Ｘは、ＯＳＤ表示やマルチ画面表示によってその通知を行うので、ユーザによる当該テレビジョン受像機Ｘの利用状態（視聴状態）が極力維持される。
【００３０】
図１に示した録画システムＺは、テレビジョン受像機Ｘと録画装置Ｙとが、ＨＤＭＩインターフェースＷにより直接的に接続された構成を示したが、本発明の実施形態はこれに限るものではない。
例えば、テレビジョン受像機ＸとＳＴＢ（セットトップボックス）とがＨＤＭＩインターフェースＷにより接続され、そのＳＴＢと録画装置ＹとがさらにＨＤＭＩインターフェースＷにより接続された構成（間接的に接続された構成）も考えられる。
また、前述の実施形態では、前記録画候補情報Ｄ０に録画装置Ｙの装置名ｄ１が含まれる例を示したがこれに限るものではない。
ＣＥＣ規格に従った信号伝送では、各装置は、ＣＥＣライン４２により接続された各装置それぞれを識別可能である。このため、テレビジョン受像機Ｘが、ＣＥＣライン４２により接続された各録画装置Ｙの識別コードに対応付けてその装置名ｄ１を予め記憶しておくことも考えられる。
【産業上の利用可能性】
【００３１】
本発明は、テレビジョン受像機やそれを含む録画システムに利用可能である。
【図面の簡単な説明】
【００３２】
【図１】本発明の実施形態に係る録画システムＺの概略構成を表すブロック図。
【図２】録画システムＺにおける録画補足処理の手順を表すフローチャート。
【図３】本発明の実施形態にかかるテレビジョン受像機Ｘにおける録画候補番組選択メニューのＯＳＤ表示画面の一例を表す図。
【図４】録画システムＺにおける録画候補情報のデータ構成を表す図。
【符号の説明】
【００３３】
Ｘ…テレビジョン受像機
Ｙ…録画装置
Ｚ…録画システム
１、２１…チューナ
２ｘａ、２ｙａ…ＨＤＭＩ受信部
２ｘｂ、２５ｂ…ＣＥＣインターフェース
３…映像切替回路
４…映像処理回路
５…映像表示部
６、２４…制御回路
７、２６…リモコンインターフェース回路
８、２７…リモコン
９、２８…サブＭＰＵ
１０…音声切替回路
１１…音声処理回路
１２…アンプ
１３…スピーカ
２２…録画・再生回路
２３…ＨＤＤ
２５ａ…ＨＤＭＩ送信部
４０…ＨＤＭＩケーブル
４１…ＴＭＤＳライン
４２…ＣＥＣライン
Ｄ０…録画候補情報
ｄ１…装置名
ｄ２…保存フォルダ名
ｄ３…番組識別コード
ｄ４…キーワード
ｄ５…録画候補の番組の情報
Ｓ１０１、Ｓ１０２、〜…処理手順（ステップ）
【図１】
2008072222.tif 000003
【図２】
2008072222.tif 000004
【図３】
2008072222.tif 000005
【図４】
2008072222.tif 000006